(57)【要約】  映像記録配信システムを構成する機器間において、映像記録配信システムに特化した専用のプロトコルを用いて、映像記録配信システム全体で実現していた機能を損なうことなく、映像記録配信システムを構成する機器の一部を、映像記録配信システムに特化した専用のプロトコルを実行する機能を備えない一般的なＩＴ機器に置き換えることができ、それにより、映像記録配信システムのコストを低減する。  各ネットワークカメラは、ネットワークカメラ制御端末から映像記録配信システム専用のプロトコルを用いて送信された映像データの配信要求を、前記映像記録配信システム専用のプロトコルを用いて受信し、前記映像データの配信要求に応じて、現在映し出しているライブ映像データ、または、汎用のプロトコルを用いてストレージ装置から取得した映像データを、前記映像記録配信システム専用のプロトコルを用いて前記ネットワークカメラ制御端末に配信する。
2014207882.tif 000002
【特許請求の範囲】
【請求項１】
データ記録装置およびネットワークカメラ制御端末とネットワークを介して接続されたネットワークカメラであって、
記憶部と演算処理部を具備し、
前記演算処理部は、
前記ネットワークカメラ制御端末から第１のプロトコルを用いて送信された映像データの配信要求を、前記ネットワークを介して、前記第１のプロトコルを用いて受信し、
前記映像データの配信要求に応じて、現在映し出し前記記憶部に一時記録したライブ映像データ、または、第２のプロトコルを用いて前記データ記録装置から取得し前記記憶部に一時記録した映像データを、前記ネットワークを介して、前記第１のプロトコルを用いて前記ネットワークカメラ制御端末に配信する、
ことを特徴とするネットワークカメラ。
【請求項２】
前記第２のプロトコルは、汎用プロトコルであり、前記データ記録装置は、ストレージ装置である、
ことを特徴とする請求項１に記載のネットワークカメラ。
【請求項３】
データ記録装置および複数のネットワークカメラとネットワークを介して接続されたネットワークカメラ制御端末であって、
入力部と、記憶部と、演算処理部と、表示部を具備し、
前記演算処理部は、
前記入力部を介して受け付けた操作情報に基づき、前記表示部の複数の画面領域のそれぞれに表示させる映像データの割り当てを行い、
前記記憶部に記憶されている前記各ネットワークカメラの仕様情報と、前記各ネットワークカメラの設定状況や稼動状況とに基づいて、割り当てた前記映像データごとに、該映像データを当該ネットワークカメラ制御端末に配信するネットワークカメラを決定し、
決定した前記各ネットワークカメラに、前記ネットワークを介して、前記映像データの配信要求を送信し、
決定した前記各ネットワークカメラから、前記配信要求を行った映像データを前記ネットワークを介して受信し、該当画面領域に表示する演算処理部を具備する、
ことを特徴とするネットワークカメラ制御端末。
【請求項４】
前記映像データは、前記データ記録装置に記録されている映像データ、もしくは、前記ネットワークカメラで現在映し出しているライブ映像データである、
ことを特徴とする請求項３に記載のネットワークカメラ制御端末。
【請求項５】
前記データ記録装置は、汎用のプロトコルに対応したストレージ装置である、
ことを特徴とする請求項４に記載のネットワークカメラ制御端末。
【請求項６】
前記画面領域は、高解像度、高フレームレートで配信される映像データを表示する大画面領域と、低解像度、低フレームレートで配信される映像データを表示する小画面領域とから構成される、
ことを特徴とする請求項５に記載のネットワークカメラ制御端末。
【請求項７】
ネットワークに接続された、複数のネットワークカメラと、データ記録装置と、ネットワークカメラ制御端末と、から構成される映像記録配信システムであって、
前記各ネットワークカメラは、
前記ネットワークカメラ制御端末から第１のプロトコルを用いて送信された映像データの配信要求を、前記ネットワークを介して、前記第１のプロトコルを用いて受信し、
前記映像データの配信要求に応じて、現在映し出し記憶部に一時記録したライブ映像データ、または、第２のプロトコルを用いて前記データ記録装置から取得し前記記憶部に一時記録した映像データを、前記ネットワークを介して、前記第１のプロトコルを用いて前記ネットワークカメラ制御端末に配信し、
前記ネットワークカメラ制御端末は、
前記第１のプロトコルを用いて前記映像データの配信要求を、前記ネットワークを介して、前記各ネットワークカメラに送信し、
前記各ネットワークカメラから前記第１のプロトコルを用いて前記配信要求を行った映像データを、前記ネットワークを介して、前記第１のプロトコルを用いて受信し、表示部に表示する、
ことを特徴とする映像記録配信システム。
【請求項８】
前記第２のプロトコルは、汎用プロトコルであり、前記データ記録装置は、ストレージ装置である、
ことを特徴とする請求項７に記載の映像記録配信システム。
【請求項９】
前記ネットワークカメラ制御端末は、
入力部を介して受け付けた操作情報に基づき、前記表示部の複数の画面領域のそれぞれに表示させる映像データの割り当てを行い、
あらかじめ決められた前記各ネットワークカメラの仕様情報と、前記各ネットワークカメラの設定状況や稼動状況とに基づいて、割り当てた前記映像データごとに、該映像データを当該ネットワークカメラ制御端末に配信するネットワークカメラを決定し、
決定した前記各ネットワークカメラに、前記ネットワークを介して、前記第１のプロトコルを用いて前記映像データの配信要求を送信し、
決定した前記各ネットワークカメラから、前記ネットワークを介して、前記配信要求を行った映像データを前記第１のプロトコルを用いて受信し、該当画面領域に表示する、
ことを特徴とする請求項８に記載の映像記録配信システム。
【請求項１０】
前記画面領域は、高解像度、高フレームレートで配信される映像データを表示する大画面領域と、低解像度、低フレームレートで配信される映像データを表示する小画面領域とから構成される、
ことを特徴とする請求項９に記載の映像記録配信システム。
【発明の詳細な説明】
【技術分野】
【０００１】
本発明は、映像記録配信システム、これを構成するネットワークカメラおよびネットワークカメラ制御端末に関する。
【背景技術】
【０００２】
撮影した映像を、ネットワークを介して送信することができるネットワーク接続可能なネットワークカメラと、ネットワークカメラが撮影した映像を、ネットワークを介して受信し、記録・保存することができるレコーダ装置と、ネットワークカメラが撮影した映像を、ネットワークを介して受信し、表示することができるネットワーク制御端末を備える映像記録配信システムがある。【０００３】
映像記録配信システムを構成するネットワーク接続可能なネットワークカメラや、レコーダ装置は、遠隔にあるネットワークカメラ制御端末から、ネットワークを介して、ネットワークカメラやレコーダ装置が備える様々な機能を設定する機能や、映像データを送受信する機能を備えている。【０００４】
これらの機能の制御は、映像記録配信システムを構成するネットワークカメラと、レコーダ装置、ネットワークカメラ制御端末間で、映像記録配信システムに特化した専用の通信プロトコルに従い、その通信プロトコルを用いて行うことが一般的であった。(例えば、非特許文献１)
従って、これらの装置を製造する事業者は、映像記録配信システムを構成するネットワークカメラや、レコーダ装置、ネットワークカメラ制御端末それぞれにおいて、この映像記録配信システムに特化した専用のプロトコルを処理する機能を備えるための開発等が必要であった。そのため、映像記録配信システムを構成する機器は、より広く普及している一般的な汎用プロトコルを備えるIT機器を用いる場合に比べ、コストが高くなる傾向があった。【０００５】
従って、映像記録配信システムを構成するネットワークカメラや、レコーダ装置、ネットワークカメラ制御端末のいずれかを、一般的な汎用プロトコルを備えるIT機器に置き換えることができれば、映像記録配信システムのコストを低くできる可能性がある。【０００６】
このような場合に、例えば、映像記録配信システムに特化した専用のプロトコルを備えるレコーダ装置を、ネットワーク接続可能な、一般的な汎用プロトコルを用いてデータの読み書きができるストレージ装置に置き換え、ネットワークカメラが配信する映像データを、このストレージ装置に保存するといった映像記録配信システムの構成にすることが考えられる。【０００７】
このように、ネットワークカメラが配信する映像データを、一般的な汎用プロトコルを用いて、データを読み書きできるストレージ装置を用いる映像記録配信システムの構成を実現するための技術として、例えば特許文献１では、ネットワークカメラ制御端末が、ネットワークカメラの映像データを記録するストレージのタイプを指定することによって、ネットワークカメラ自身が備えるストレージか、あるいは、ネットワークを介して、データの記録ができるストレージ装置に接続し、ネットワークカメラの映像データを記録・保存する方法が提案されている。
【先行技術文献】
【特許文献】
【０００８】
【特許文献１】特開２０１３−５４５３号公報
【非特許文献】
【０００９】
【非特許文献１】ONVIF, 「ONVIF Profile S Specification Ver.1.0」, ONVIF, 2011年12月
【発明の概要】
【発明が解決しようとする課題】
【００１０】
しかしながら、上記の特許文献１に記載のように、ネットワークカメラの映像データを、一般的なストレージ装置に記録・保存した場合では、ネットワークカメラ制御端末が、ストレージ装置に記録・保存されている映像データを参照したい場合に、ストレージ装置が映像記録配信システムに特化した専用のプロトコルに対応していないため、ネットワークカメラ制御端末が従前より備えている映像記録配信システムに特化した専用のプロトコルに従った手続きで、このストレージ装置から所望の映像データを直接参照することはできず、ネットワークカメラ制御端末が備えている映像記録配信システムに特化した専用のプロトコルに対応したソフトウェアを利用した映像データの参照ができない。【００１１】
また、ネットワークカメラの映像データを、ネットワークカメラが備えるストレージに記録・保存した場合では、ネットワークカメラ制御端末が、ネットワークカメラのストレージに記録・保存されている映像データを参照したい場合に、仮に、このネットワークカメラが映像記録配信システムに特化した専用プロトコルに対応し、ネットワークカメラ制御端末が従前より備えている映像記録配信システムに特化した専用のプロトコルに従った手続きで、このネットワークカメラから所望の映像データを直接参照することが可能な場合でも、このネットワークカメラの性能面・資源面での制約によって、各時点のネットワークカメラの稼動状況により映像データの参照ができない場合が発生する。【００１２】
例えば、ネットワークカメラの動作として、現在レンズが映し出しているライブ映像を高解像度でネットワークカメラ制御端末に配信しながら、この映像データを、ネットワークカメラが備えるストレージに記録・保存を行っている際に、ネットワークカメラ制御端末が、このネットワークカメラのストレージに記録されている所望の映像データの配信要求を行った場合、ネットワークカメラのメモリや各種I/O、CPU等の性能面での制約や、ビデオエンコーダ等において、ある解像度で同時に動画像データをエンコード処理できる最大数等に基づく資源面の制約により、想定通りの配信動作が行えない場合が発生し、ネットワークカメラ制御端末において、この映像データの参照が正常にできない。このように、ネットワークカメラは、通常、汎用的なコンピュータ等と比較して同時処理能力が劣ることが多い。【００１３】
本発明は、このような事情に鑑みてなされたものであり、映像記録配信システムを構成するレコーダ装置のような映像データを記録・保存する機器を、ＮＡＳ（Ｎｅｔｗｏｒｋ Ａｔｔａｃｈｅｄ Ｓｔｏｒａｇｅ）装置のような、一般的な汎用プロトコルを備えるＩＴ機器に置き換えても、レコーダ装置単体が提供していた各種機能や映像データ配信に関する性能を喪失することなく、従前から備えている映像記録配信システムに特化した専用のプロトコルを用いた各種機能の設定や映像データの送受信が可能な映像記録配信システム、これを構成するネットワークカメラおよびネットワークカメラ制御端末を提供することを目的とする。
【課題を解決するための手段】
【００１４】
本発明の代表的な一例は、次の通りである。すなわち、本発明は、ネットワークに接続された、複数のネットワークカメラと、データ記録装置と、ネットワークカメラ制御端末とから構成される映像記録配信システムである。【００１５】
前記各ネットワークカメラは、前記ネットワークカメラ制御端末から第１のプロトコルを用いて送信された映像データの配信要求を、前記ネットワークを介して、前記第１のプロトコルを用いて受信し、前記映像データの配信要求に応じて、現在映し出し記憶部に一時記録したライブ映像データ、または、第２のプロトコルを用いて前記データ記録装置から取得し前記記憶部に一時記録した映像データを、前記ネットワークを介して、前記第１のプロトコルを用いて前記ネットワークカメラ制御端末に配信する。【００１６】
前記ネットワークカメラ制御端末は、前記第１のプロトコルを用いて前記映像データの配信要求を、前記ネットワークを介して、前記各ネットワークカメラに送信し、前記各ネットワークカメラから前記第１のプロトコルを用いて前記配信要求を行った映像データを、前記ネットワークを介して、前記第１のプロトコルを用いて受信し、表示部に表示する。
【発明の効果】
【００１７】
本発明の映像記録配信システムによれば、映像記録配信システムを構成する機器間において、映像記録配信システムに特化した専用のプロトコルを用いて、映像記録配信システム全体で実現していた機能を損なうことなく、映像記録配信システムを構成する機器の一部を、映像記録配信システムに特化した専用のプロトコルを実行する機能を備えない一般的なIT機器に置き換えることができ、それにより、映像記録配信システムのコストを低減することができる。
【図面の簡単な説明】
【００１８】
【図１】本発明の実施形態に係る映像記録配信システム１の構成を示す図である。
【図２】本発明の実施形態に係るネットワークカメラ３のハードウェア構成を示す図である。
【図３】本発明の実施形態に係るネットワークカメラ制御端末５のハードウェア構成を示す図である。
【図４】本発明の実施形態に係るネットワークカメラ３の機能ブロック図である。
【図５】本発明の実施形態に係るＮＡＳ装置４に保存されたデータが記述されているファイルを示す図である。
【図６】本発明の実施形態に係るＮＡＳ装置４に保存されたファイル内に記録されているコンテンツリストを示す図である。
【図７】本発明の実施形態に係るネットワークカメラ制御端末５の機能ブロック図である。
【図８】本発明の実施形態に係るネットワークカメラ制御端末５のモニタ３６の画面上における映像表示形式を示す図である。
【図９】本発明の実施形態に係るネットワークカメラ３のネットワークカメラ処理の流れを示すフロー図である。
【図１０】本発明の実施形態に係るネットワークカメラ制御端末５のネットワークカメラ制御端末処理の流れを示すフロー図である。
【図１１】本発明の実施形態の映像記録配信システム１における、ＮＡＳ装置４に接続する際の、ネットワークカメラ３とネットワークカメラ制御端末５間で行われる通信と処理の流れを示すインタラクション図である。
【図１２】同じく、本発明の実施形態の映像記録配信システム１における、ＮＡＳ装置４に接続する際の、ネットワークカメラ３とネットワークカメラ制御端末５間で行われる通信と処理の流れを示すインタラクション図である。
【発明を実施するための形態】
【００１９】
以下、本発明の一実施形態である映像記録配信システム１について説明する。
（システム構成）
図１は、本実施形態に係る映像記録配信システム１の構成例を示す図である。
【００２０】
本実施形態の映像記録配信システム１には、データ通信網２と、ネットワークカメラ３a、３ｂ、３ｃ、３ｄ（以下、特に指定しない場合、ネットワークカメラ３と記す）と、ＮＡＳ（Ｎｅｔｗｏｒｋ Ａｔｔａｃｈｅｄ Ｓｔｏｒａｇｅ）装置（データ記録装置）４a、４ｂ（以下、特に指定しない場合は、ＮＡＳ装置４と記す）と、ネットワークカメラ制御端末５が含まれている。ネットワークカメラ３とＮＡＳ装置４とネットワークカメラ制御端末５は、それぞれデータ通信網２に接続し、データ通信網２を介して相互に通信可能である。
【００２１】
データ通信網２は、例えば、無線、有線を含むＬＡＮ（Ｌｏｃａｌ Ａｒｅａ Ｎｅｔｗｏｒｋ）、または、ＬＡＮを相互に接続して構成されるインターネット網、あるいは、携帯電話網等からなる。
【００２２】
ネットワークカメラ３は、有線、あるいは無線でデータ通信網２に接続し、データ通信網２を介して、後述するＮＡＳ装置４や、ネットワークカメラ制御端末５に対して、撮影した動画像データを、後述するファイル送受信のための一般的な汎用プロトコルか、映像記録配信システムに特化した専用のプロトコルを用いて、配信することができる。また、ネットワークカメラ３は、ネットワークカメラ制御端末５により、データ通信網２を介して、映像記録配信システムに特化した専用のプロトコルを用いて、ネットワークカメラ３が備える様々な機能の設定が行われる。ネットワークカメラ３は、例えば、監視カメラやテレビ会議システム用カメラ、ゲーム接続用カメラ、テレビ電話用カメラなどである。
【００２３】
ＮＡＳ装置４は、有線、あるいは無線でデータ通信網２に接続し、データ通信網２を介して、ネットワークカメラ３や、後述するネットワークカメラ制御端末５と、ＮＦＳ（Ｎｅｔｗｏｒｋ Ｆｉｌｅ Ｓｙｓｔｅｍ)やＳＭＢ（Ｓｅｒｖｅｒ Ｍｅｓｓａｇｅ Ｂｌｏｃｋ)、ＣＩＦＳ（Ｃｏｍｍｏｎ Ｉｎｔｅｒｎｅｔ Ｆｉｌｅ Ｓｙｓｔｅｍ）、ＷｅｂＤＡＶ（Ｗｅｂ−ｂａｓｅｄ Ｄｉｓｔｒｉｂｕｔｅｄ Ａｕｔｈｏｒｉｎｇ ａｎｄ Ｖｅｒｓｉｏｎｉｎｇ）等の、ネットワークを介したファイル送受信のための一般的な汎用プロトコルを用いて、ファイル送受信ができる。ＮＡＳ装置４が前述の汎用プロトコルを用いて受信したデータは、ファイルとして保存することができ、また、前述の汎用プロトコルを用いた要求に応じて指定のファイルを読み出し、ネットワークを介して、前述のプロトコルを用いて送信することができる。ＮＡＳ装置４は、例えば、ＨＤＤ（Ｈａｒｄ Ｄｉｓｋ Ｄｒｉｖｅ）を搭載した専用アプライアンス、前述したプロトコルを備えたコンピュータ、サーバ装置などである。ＮＡＳ装置４は、映像記録配信システムに特化した専用のプロトコルを実行する機能は備えない。
【００２４】
ネットワークカメラ制御端末５は、有線、あるいは無線でデータ通信網２を介して、映像記録配信システムに特化した専用のプロトコルを用いて、ネットワークカメラ３が備える様々な機能の設定や、動画像データの要求とその受信をすることができ、また、ＮＡＳ装置４と前述したファイル送受信のための一般的なプロトコルを用いて、ファイル送受信を行うことができる。ネットワークカメラ制御端末５は、一台または複数台の機器から構成され、例えば、パーソナルコンピュータやサーバ装置、セットトップボックスとモニタを組み合わせたシステム、専用アプライアンスなどである。
【００２５】
操作者６は、ネットワークカメラ制御端末５のモニタ等を参照しながら、各種の操作を行うことによって、ネットワークカメラ３の各種設定を行ったり、ネットワークカメラ３の各種設定情報の参照を行ったり、ネットワークカメラ３から配信される動画像データの参照等を行う。
【００２６】
図２は、本実施形態に係るネットワークカメラ３のハードウェア構成を示す図である。ネットワークカメラ３は、ネットワークカメラ３の全体の制御を司るＣＰＵ（Ｃｅｎｔｒａｌ Ｐｒｏｃｅｓｓｉｎｇ Ｕｎｉｔ）２００と、データやプログラムを記憶するＲＯＭ（Ｒｅａｄ Ｏｎｌｙ Ｍｅｍｏｒｙ）２０１およびＲＡＭ（Ｒａｎｄｏｍ Ａｃｃｅｓｓ Ｍｅｍｏｒｙ）２０２と、光学レンズを備えるレンズ部２０３と、レンズ部２０３で得た光を感知しデジタルデータに変換するイメージセンサ部２０４と、イメージセンサ部２０４で得られたデジタルデータ等を動画像データとして処理する映像処理部２０５と、有線、あるいは無線で、データ通信網２に対してデータを送受信するネットワークインターフェース２０６と、データを記録、削除可能な二次記憶部２０７と、映像処理部２０５で得られた動画像データを外部に出力するための映像インターフェース２０８と、を有している。ネットワークカメラ３の形態によっては、データを記録、削除可能な二次記憶部２０７は、ＨＤＤやＳＳＤ（Ｓｏｌｉｄ Ｓｔａｔｅ Ｄｒｉｖｅ）、着脱可能なメモリカード等であっても良く、また、備えなくても良い。
【００２７】
図３は、本実施形態に係わるネットワークカメラ制御端末５のハードウェア構成を示す図である。ネットワークカメラ制御端末５は、ネットワークカメラ制御端末５の全体の制御を司るＣＰＵ３０と、データやプログラムを記憶するＲＡＭ３１およびＲＯＭ３２と、有線、あるいは無線で、データ通信網２に対してデータを送受信するネットワークインターフェース３３と、後述するモニタ３６に情報を表示するための制御を行うグラフィック制御部３４と、データを記録、削除可能な二次記憶部３５と、画面を通じて様々な情報を表示できるモニタ(表示部)３６と、を有している。ネットワークカメラ制御端末５の形態によっては、データを記録、削除可能な二次記憶部３５は、ＨＤＤやＳＳＤ、メモリカード等であっても良い。
【００２８】
図４は、本実施形態に係るネットワークカメラ３の機能ブロックを示す図である。
【００２９】
ネットワークカメラ３は、カメラ制御部４０１と、映像配信部４０２から構成されるカメラプロトコル部４０と、レコーダ制御部４０３と、映像配信部４０４と、映像管理部４０５と、映像受信部４０６と、映像データ形式変換部４０７と、映像記録・読出し部４０８と、から構成されるレコーダプロトコル部４１と、ＮＡＳ接続部４０９と、ＮＡＳ接続管理部４１０と、から構成されるＮＡＳ連携部４２と、からなる。
【００３０】
カメラプロトコル部４０は、ネットワークカメラ３のカメラとしての機能を司る映像記録配信システムに特化した専用のプロトコルである。
【００３１】
カメラ制御部４０１は、ネットワークカメラ制御端末５からの要求に応じて、ネットワークカメラ３が備える、イメージセンサ部２０４や後述する映像配信部４０２で配信する映像データの解像度やフレームレート等の調整を行う映像処理部２０５等の各種映像関連機能や、ネットワークインターフェース２０６や映像インターフェース２０８等の各種システム機能の設定・制御を行う。
【００３２】
映像配信部４０２は、ネットワークカメラ制御端末５か、ネットワークカメラ制御端末５からの指示を受けた映像受信部４０６からの要求に応じて、映像処理部２０５で得られた動画像データを、ネットワークカメラ制御端末５か、映像受信部４０６に配信する。この動画像データは、レンズ部２０３が撮影しているライブの映像データである。また、ネットワークカメラ制御端末５へ配信される映像データは、ネットワーク制御端末５のモニタ３６に表示される。映像受信部４０６へ配信される映像データは、映像データ形式変換部４０７、映像記録・読出し部４０８を介してＮＡＳ装置４に記録・保存される。
【００３３】
レコーダプロトコル部４１は、ネットワークカメラ３に備えられたレコーダ機能を司る映像記録配信システムに特化した専用のプロトコルである。
【００３４】
レコーダ制御部４０３は、ネットワークカメラ制御端末５からの要求に応じて、ネットワークカメラ３が備えるレコーダ関連機能の設定・制御を行い、後述する映像配信部４０４で配信する映像データの解像度やフレームレート等の調整を行う映像処理部２０５等の各種映像関連機能の設定・制御を行う。
【００３５】
映像配信部４０４は、ネットワークカメラ制御端末５からの要求に応じて、指定された映像データを、後述する映像データ形式変換部４０７から取得し、ネットワークカメラ制御端末５に配信する。なお、映像データ形式変換部４０７から取得される映像データは、映像記録・読み出し部８０８によりＮＡＳ接続部４０９を介してＮＡＳ装置４から読み出され、映像データ形式変換部４０７に渡されたものである。
【００３６】
映像管理部４０５は、後述するＮＡＳ接続部４０９を介して、ＮＡＳ接続部４０９が接続しているＮＡＳ装置４に保存している映像データのリストを読み書きし、後述する映像記録・読出し部４０８によりＮＡＳ装置４に記録・保存した映像データのリストを管理する。
【００３７】
映像受信部４０６は、ネットワークカメラ制御端末５の指示を受け、ネットワークカメラ３のカメラプロトコル部４０の映像配信部４０２に、映像データの要求を行い、該映像配信部４０２から配信される該映像データを受信する。
【００３８】
映像データ形式変換部４０７は、映像受信部４０６で受信した映像データを、後述する映像記録・読出し部４０８でＮＡＳ装置４に記録するためのデータ形式に変換し、また、後述する映像記録・読出し部４０８でＮＡＳ装置４から読み出した映像データを、映像配信部４０４で配信するデータ形式に変換する。なお、ＮＡＳ装置４から読み出された映像データは、二次記憶部２０７などに一時記録される。
【００３９】
映像記録・読出し部４０８は、映像データ形式変換部４０７から取得した形式の映像データを、後述するＮＡＳ接続部４０９を介して、ＮＡＳ接続部４０９が接続しているＮＡＳ装置４に記録・保存する。また、映像記録・読出し部４０８は、映像配信部４０４において指定された映像データを、後述するＮＡＳ接続部４０９を介してＮＡＳ接続部４０９が接続しているＮＡＳ装置４から読み出し、映像データ形式変換部４０７に渡す。
【００４０】
ＮＡＳ連携部４２は、ファイル送受信のための一般的なプロトコルを用いて、映像記録配信システム１に接続しているＮＡＳ装置４と接続し、データを送受信するための機能を提供する。
【００４１】
ＮＡＳ接続部４０９は、後述するＮＡＳ接続管理部４１０により指定された、映像記録配信システム１に接続しているＮＡＳ装置４と接続し、ＮＡＳ装置４とデータ送受信を行い、映像管理部４０５や、映像記録・読み出し部４０８による該データの記録・読み出しの機能を提供する。
【００４２】
ＮＡＳ接続管理部４１０は、ネットワークカメラ制御端末５からの指示により、ネットワークカメラ制御端末５に指定されたＮＡＳ装置４のIPアドレスと、予め定められた参照するディレクトリを示すマウントポイントを、ＮＡＳ接続部４０９に渡し、接続、または切断の指示を行う。
【００４３】
なお、上記各処理部４０１〜４１０は、二次記憶部２０７やＲＯＭ２０１に格納されているプログラムがＲＡＭ２０２に展開され、ＣＰＵ２００によって実行されることにより、イメージセンサ部２０４や映像処理部２１５、ネットワークインターフェース２０６の機能を利用しながら機能を具現化する。  図５は、本実施形態に係るＮＡＳ装置４に保存されたデータが記述されているファイルの状態を示す図である。
【００４４】
コンテンツリスト５０１は、各ネットワークカメラ３毎に、該ネットワークカメラ３の映像記録・読出し部４０８が、ＮＡＳ接続部４０９を介してＮＡＳ装置４に記録・保存したコンテンツのファイル名等の情報を、該ネットワークカメラ３の映像管理部４０５が、ＮＡＳ接続部４０９を介して記録したコンテンツリストのファイルである。該コンテンツリスト５０１は、該ネットワークカメラ３の映像管理部４０５が、ＮＡＳ接続部４０９を介して参照することができる。
【００４５】
コンテンツデータ５０２は、ネットワークカメラ３の映像記録・読み出し部４０８が、ＮＡＳ接続部４０９を介して保存した映像データのファイル群である。該コンテンツデータ５０２は、該ネットワークカメラ３の映像記録・読み出し部４０８が、ＮＡＳ接続部４０９を介して取得することができる。
【００４６】
コンテンツリスト５０１とコンテンツデータ５０２は、ファイル形式でＮＡＳ装置４に記録・保存されており、ネットワークカメラ３は、ネットワークカメラ３のＮＡＳ接続部４０９を介して該ＮＡＳ装置４に接続することによって、データ通信網２を介して読み書き可能な状態となる。
【００４７】
図６は、本実施形態に係るＮＡＳ装置４に保存されたファイル内に記録されているコンテンツリスト５０１を示す図である。
【００４８】
コンテンツリスト５０１は、カメラＩＤ６０１と、ファイル名６０２と、メタデータ６０３からなる。
【００４９】
カメラＩＤ６０１は、コンテンツデータ５０２として保存した映像データを送信したネットワークカメラ３を特定する、映像記録配信システム１内における一意の識別子である。
【００５０】
ファイル名６０２は、該コンテンツデータ５０２として保存されている、一つ、または、複数から構成されるファイルを特定するファイル名である。
【００５１】
メタデータ６０３は、該コンテンツデータ５０２に保存された映像データの撮影日時等、映像データに関する各種詳細情報である。
【００５２】
図７は、本実施形態に係るネットワークカメラ制御端末５の機能ブロックを示す図である。
【００５３】
ネットワークカメラ制御端末５は、カメラ制御部７０１と、レコーダ制御部７０２と、映像受信部７０３と、ＧＵＩ部７０４から構成されるカメラ・レコーダプロトコル部７０と、ＮＡＳリスト部７０５と、カメラ諸元リスト部７０６と、ＮＡＳ接続管理部７０７と、カメラ・ＮＡＳ対応算出部７０８と、から構成されるＮＡＳ連携制御部７１と、からなる。
【００５４】
カメラ・レコーダプロトコル部７０は、ネットワークカメラ３のカメラとレコーダとしての機能を制御する映像記録配信システムに特化した専用のプロトコルである。
【００５５】
カメラ制御部７０１は、ネットワークカメラ３のカメラ制御部４０１と、データ通信網２を介して通信を行い、ネットワークカメラ３の各種映像関連機能や、各種システム機能の設定・制御を行う。
【００５６】
レコーダ制御部７０２は、ネットワークカメラ３のレコーダ制御部４０３と、データ通信網２を介して通信を行い、ネットワークカメラ３が備えるレコーダ関連機能の設定・制御を行う。また、レコーダ制御部７０２は、ネットワークカメラ３の映像受信部４０６に、ネットワークカメラ３の映像配信部４０２から映像データを受信するよう指示・制御を行う。さらに、レコーダ制御部７０２は、ネットワークカメラ３の映像管理部４０５に対し、映像データのリストを、データ通信網２を介して要求し、当該映像データのリストを取得する。
【００５７】
映像受信部７０３は、ネットワークカメラ３のカメラプロトコル部４０の映像配信部４０２や、レコーダプロトコル部４１の映像配信部４０４に対し指定の映像データを要求し、該映像配信部４０４から配信された映像データを、データ通信網２を介して受信する。  ＧＵＩ部７０４は、映像受信部７０３において、複数のネットワークカメラ３から受信した映像データを、ネットワークカメラ制御端末５のグラフィック制御部３４で処理を行い、該ネットワークカメラ制御端末５のモニタ３６に、操作者６が所望する後述の映像表示形式８０にて、大きさの異なる複数の領域に分割したマルチ画面構成等に表示する。
【００５８】
ＮＡＳ連携制御部７１は、ネットワークカメラ３のＮＡＳ連携部４２と、データ通信網２を介して通信を行い、映像記録配信システム１に接続しているネットワークカメラ３とＮＡＳ装置４の接続の組み合わせを設定・制御するための機能を備える。
【００５９】
ＮＡＳリスト部７０５は、映像記録配信システム１に接続しているＮＡＳ装置４の一意の識別子とＩＰアドレスの組みを管理する。ＮＡＳ装置４のＩＰアドレスの把握方法は、操作者の入力等による方法や、マルチキャストアドレスによる通信等を利用したＮＡＳ装置４との自動的なやり取りで把握する方法があるが、その手段は問わない。
【００６０】
カメラ諸元リスト部７０６は、映像記録配信システム１に接続しているネットワークカメラ３の同時配信性能や同時処理能力等、ネットワークカメラ３の機種ごとに事前に定められているネットワークカメラ３の仕様情報を把握・管理する。ネットワークカメラ３の機種ごとの仕様情報は、事前に入力・設定しておく方法や、適宜、ネットワークカメラ３とのやり取りで把握する方法があるが、その手段は問わない。
【００６１】
ＮＡＳ接続管理部７０７は、後述するカメラ・ＮＡＳ対応算出部７０８によって指定されるネットワークカメラ３とＮＡＳ装置４の組み合わせに応じて、各ネットワークカメラ３のＮＡＳ接続管理部４１０に、該ネットワークカメラ３が接続するＮＡＳ装置４のＩＰアドレスと、コンテンツリスト５０１とコンテンツデータ５０２が保存されているディレクトリを示すマウントポイントを、データ通信網２を介して渡す。
【００６２】
カメラ・ＮＡＳ対応算出部７０８は、該ネットワークカメラ制御端末５のカメラ・レコーダプロトコル部７０のカメラ制御部７０１やレコーダ制御部７０２で行った、映像記録配信システム１に接続している各ネットワークカメラ３の現時点でのエンコーダ等の設定状況や映像配信等の稼動状況と、カメラ諸元リスト部７０６に記述されている仕様情報とを比較し、同時配信性能や同時処理能力等に余裕があるネットワークカメラ３を把握し、余力を持つネットワークカメラ３と、各ネットワークカメラ３が記録した映像データに対応したコンテンツリストが保存されているディレクトリを示すマウントポイントを含むＮＡＳ装置４の組み合わせを、該ネットワークカメラ３の同時配信性能や同時処理能力を超えないよう決定する。
【００６３】
なお、上記処理部７０１〜７０８は、二次記憶部３５やＲＯＭ３２に格納されているプログラムがＲＡＭ３１に展開され、ＣＰＵ３０によって実行されることにより具現化する。
【００６４】
図８は、本実施形態に係るネットワークカメラ制御端末５のモニタ３６の画面上における、該ネットワークカメラ制御端末のＧＵＩ部７０４によって処理される映像表示形式８０を示す図である。
【００６５】
映像表示形式８０は、一つの画面を４つの映像データ表示領域に分割し、領域ごとに異なるネットワークカメラ３のカメラプロトコル部４０の映像配信部４０２や、レコーダプロトコル部４１の映像配信部４０４から配信される映像データが表示されている。
【００６６】
大画面領域８１は、操作者６によって選択されたネットワークカメラ３のカメラプロトコル部４０の映像配信部４０２や、操作者６が選択した映像データのコンテンツデータを配信するネットワークカメラ３のレコーダプロトコル部４１の映像配信部４０４から、後述する小画面領域８２〜８４と比較して、高解像度、高フレームレートで配信される映像データを表示する。
【００６７】
小画面領域８２〜８４は、映像記録配信システム１内における、操作者６によって選択されたネットワークカメラ３のカメラプロトコル部４０の映像配信部４０２や、操作者６が選択した映像データのコンテンツデータを配信するネットワークカメラ３のレコーダプロトコル部４１の映像配信部４０４から、大画面領域８１と比較して、低解像度、低フレームレートで配信される映像データを表示する。
【００６８】
コントロールパネル８５は、操作者６によって、ネットワークカメラ３のカメラ制御部４０１やレコーダ制御部４０３、映像配信部４０２や映像配信部４０４における所望の映像データの指定操作等を行うユーザインターフェースを備える。
【００６９】
なお、映像表示形式８０は、領域の分割数や、大小複数の領域の組み合わせ、また、ひとつの領域毎に表示されている映像データの解像度（画面のサイズ）、フレームレート等は、本実施形態の例に限らず、任意の組み合わせでよいことはもちろんである。
(システム処理)
以下、本実施の形態に係るネットワークカメラ３とネットワークカメラ制御端末５における処理の詳細について説明する。これにより、操作者６の操作によって、映像表示形式８０において、映像記録配信システム１内におけるネットワークカメラ３が配信する映像データと、該映像データを表示する各画面領域８１〜８４の対応関係の切換えが行われた場合に、どのような切替えが行われた場合にも、映像記録配信システム１全体で、ＮＡＳ装置４に記録されている映像データを参照可能にする方法を明らかにする。
＝＝＝＝ネットワークカメラ処理＝＝＝＝
図９は、ネットワークカメラ３におけるネットワークカメラ処理の流れを説明する図である。ネットワークカメラ３におけるネットワークカメラ処理は、ネットワークカメラ処理９００とネットワークカメラ処理９１０が並行して実行され、各処理は、繰り返し実行される。
【００７０】
Ｓ９０１において、ネットワークカメラ３のレコーダ制御部４０３は、ネットワークカメラ制御端末５のレコーダ制御部７０２からの、該ネットワークカメラ３のレコーダ関連機能の設定・制御の要求を待ち受け、ネットワークカメラ３の映像受信部４０６は、ネットワークカメラ制御端末５のレコーダ制御部７０２からの、ネットワークカメラ３の映像配信部４０２に対して映像データ配信要求を行う指示を待ち受け、該ネットワークカメラ３のＮＡＳ接続管理部４１０は、ネットワークカメラ制御端末５のＮＡＳ接続管理部７０７からの、該ネットワークカメラ３の映像記録・読出し部４０８において映像データを書き出すためのＮＡＳ装置４のＩＰアドレスと、予め定められたディレクトリを示すマウントポイントの指示を待ち受け、各要求を受信した場合にはＳ９０２へ、受信しなかった場合にはＳ９０３に処理を移行する。
【００７１】
Ｓ９０２において、ネットワークカメラ３のレコーダ制御部４０３は、ネットワークカメラ制御端末５のレコーダ制御部７０２から受信したレコーダ関連機能の設定・制御の要求に従い、ネットワークカメラ３の各種設定・制御を行う。また、ネットワークカメラ３の映像受信部４０６は、ネットワークカメラ制御端末５のレコーダ制御部７０２から受信した、ネットワークカメラ３の映像配信部４０２に対する映像データ配信要求を行い、ネットワークカメラ３の映像配信部４０２に、映像データ配信要求を行う。また、該ネットワークカメラ３のＮＡＳ接続管理部４１０は、ネットワークカメラ制御端末５のＮＡＳ接続管理部７０７から指定された、該ネットワークカメラ３の映像記録・読出し部４０８が映像データを書き出すためのＮＡＳ装置４のＩＰアドレスと、予め定められたディレクトリを示すマウントポイントに対し、該ネットワークカメラ３のＮＡＳ接続部４０９により接続する。なお、ＮＡＳ装置４との接続は、該ネットワークカメラ３の映像受信部４０６が、ネットワークカメラ３の映像配信部４０２に対して映像データ配信要求を行う前に実施されなければならない。これにより、Ｓ９０２の処理終了後、該ネットワークカメラ３の映像受信部４０６で受信した映像データは、該映像データを書き出すために接続したＮＡＳ装置４に、コンテンツデータ５０２として記録が開始され、該映像データのファイル名等の情報も、適宜、コンテンツリスト５０１として記録することができる。
【００７２】
Ｓ９０３において、ネットワークカメラ３のカメラ制御部４０１は、ネットワークカメラ制御端末５のカメラ制御部７０１からの、該ネットワークカメラ３のエンコーダ等の各種映像関連機能や各種システム機能の設定・制御の要求を待ち受け、ネットワークカメラ３の映像受信部４０２は、ネットワークカメラ制御端末５の映像受信部７０３からの映像データ配信要求か、ネットワークカメラ３の映像受信部４０６からの映像データ配信要求を待ち受け、各要求を受信した場合にはＳ９０４へ、受信しなかった場合にはＳ９０５に処理を移行する。
【００７３】
Ｓ９０４において、ネットワークカメラ３のカメラ制御部４０１は、ネットワークカメラ制御端末５のカメラ制御部７０１から受信したエンコーダ等の各種映像関連機能や各種システム機能の設定・制御の要求に従い、ネットワークカメラ３の各種設定・制御を行う。本設定・制御では、該ネットワークカメラ３の映像配信部４０２で配信する映像データの解像度やフレームレート等、各種の設定が行われ、Ｓ９０５に処理を移行する。また、ネットワークカメラ３の映像受信部４０２は、ネットワークカメラ制御端末５の映像受信部７０３かネットワークカメラ３の映像受信部４０６から受信した映像データ配信要求に従い、要求された映像データの配信が行われ、Ｓ９０５に処理を移行する。
【００７４】
Ｓ９０５において、ネットワークカメラ３のＮＡＳ接続管理部４１０は、ネットワークカメラ制御端末５のＮＡＳ接続管理部７０７からの、該ネットワークカメラ３に対応するＮＡＳ装置４に対する接続、あるいは、切断指示を待ち受け、指示を受信した場合にはＳ９０６へ、受信しなかった場合には、Ｓ９０７に処理を移行する。
【００７５】
Ｓ９０６において、ネットワークカメラ３のＮＡＳ接続部４０９は、該ネットワークカメラ３のＮＡＳ接続管理部４１０で受信した指示に従い、該ネットワークカメラ３に対応するＮＡＳ装置４に対する接続、あるいは、切断を行い、Ｓ９０７に処理を移行する。
【００７６】
Ｓ９０７において処理を終了し、再び、ネットワークカメラ処理９００を実行し、これを繰り返す。
【００７７】
Ｓ９１１において、ネットワークカメラ３の映像管理部４０５は、ネットワークカメラ制御端末５のレコーダ制御部７０２からの、該ネットワークカメラ３が読み出し用に接続しているＮＡＳ装置４の映像データのコンテンツリストの要求を待ち受け、要求を受信した場合には、Ｓ９１２へ、受信しなかった場合には、Ｓ９１３に処理を移行する。
【００７８】
Ｓ９１２において、ネットワークカメラ３の映像管理部４０５は、ネットワークカメラ制御端末５のレコーダ制御部７０２から受信した映像データのリスト要求に従い、データ通信網２を介して、該ネットワークカメラ制御端末５のレコーダ制御部７０２に対して送信し、Ｓ９１３に処理を移行する。
【００７９】
Ｓ９１３において、ネットワークカメラ３の映像配信部４０４は、ネットワークカメラ制御端末５の映像受信部７０３からの、該ネットワークカメラ３のＮＡＳ接続部４０９が、映像データを読み出すために接続しているＮＡＳ装置４に保存されている映像データの配信要求を待ち受け、配信要求を受信した場合には、Ｓ９１４へ、受信しなかった場合には、Ｓ９１５に処理を移行する。
【００８０】
Ｓ９１４において、ネットワークカメラ３の映像配信部４０４は、ネットワークカメラ制御端末５の映像受信部７０３から受信した映像データの配信要求に従い、指定の映像データを、該ネットワークカメラ３の映像記録・読み出し部４０８によってＮＡＳ装置４から読み出し、該ネットワークカメラ３の映像データ形式変換部４０７から取得した映像データを、該ネットワークカメラ３の映像配信部４０４が、データ通信網２を介して、該ネットワークカメラ制御端末５の映像受信部７０３に対して送信し、Ｓ９１５に処理を移行する。
【００８１】
Ｓ９１５において処理を終了し、再び、ネットワークカメラ処理９１０を実行し、これを繰り返す。
【００８２】
以上により、ネットワークカメラ３におけるネットワークカメラ処理の流れを示した。
＝＝＝＝ネットワークカメラ制御端末処理＝＝＝＝
図１０は、ネットワークカメラ制御端末５におけるネットワークカメラ制御端末処理１０００の流れを説明する図である。ネットワークカメラ制御端末５におけるネットワークカメラ制御端末処理１０００は、ネットワークカメラ制御端末５起動後、継続的に実行される。
【００８３】
Ｓ１００１において、ネットワークカメラ制御端末５のレコーダ制御部７０２は、映像記録配信システム１内に接続されているネットワークカメラ３に対して、該ネットワークカメラ３のレコーダ関連機能の初期設定・制御の要求を行う。また、ネットワークカメラ制御端末５のＮＡＳ接続管理部７０７は、該ネットワークカメラ３のＮＡＳ接続管理部４１０に対して、該ネットワークカメラ３の映像記録・読み出し部４０８において、映像データを書き出すためのＮＡＳ装置４の指定を行い、Ｓ１００２へ処理を移行する。
【００８４】
Ｓ１００２において、操作者６による、ネットワークカメラ制御端末５のGUI部７０４の映像表示形式８０における大画面領域８１と小画面領域８２〜８４に映し出す各ネットワークカメラ３のカメラプロトコル部４０の映像配信部４０２や、レコーダプロトコル部４１の映像配信部４０４から配信される映像データの指定と割り当て操作を行い、Ｓ１００３に処理を移行する。この割り当て操作は、操作者６が特に注目したい映像データを、大画面領域８１に割り当て、また、映像記録配信システム１内に多数のネットワークカメラ３が接続している場合に、表示しておくべき映像データを配信するネットワークカメラ３を選択し、該ネットワークカメラ３が配信する映像データを、小画面領域８２〜８４に割り当てる等、操作者６の操作等により、絶えず繰り返し割り当てが変更される。
【００８５】
Ｓ１００３において、ネットワークカメラ制御端末５のカメラ・ＮＡＳ対応算出部７０８は、映像記録配信システム１に接続しているネットワークカメラ３のＳ１００１において行った場合の設定状況において、カメラ緒元リスト７０６に記述されている、該ネットワークカメラ３の同時配信性能や同時処理能力等、ネットワークカメラ３の機種ごとに事前に定められているネットワークカメラ３の仕様情報と比較し、同時配信性能や同時処理能力に余力があるネットワークカメラ３を確認し、余力がある該ネットワークカメラ３と、該ネットワークカメラ制御端末５のＮＡＳリスト部７０５に記載のＮＡＳ装置4のIPアドレスと特定のコンテンツリスト５０１とコンテンツデータ５０２を含むディレクトリを示すマウントポイントを、映像データ読み出し用のＮＡＳ装置４として対応させ、Ｓ１００４に処理を移行する。Ｓ１００３の処理において、ネットワークカメラ３の同時配信性能や同時処理能力に、Ｓ１００２実行後も引き続き余力がある場合、前回のＳ１００３実行時に算出した該ネットワークカメラ３に対応付けたＮＡＳ装置４との対応関係を維持してもよい。
【００８６】
Ｓ１００４において、ネットワークカメラ制御端末５のＮＡＳ接続管理部７０７は、Ｓ１００３において算出した、ネットワークカメラ３に対応させた映像データ読み出し用のＮＡＳ装置４のＩＰアドレスと特定のコンテンツリスト５０１とコンテンツデータ５０２を含むディレクトリを示すマウントポイントを、該ネットワークカメラ３のＮＡＳ接続管理部４１０に指示し、Ｓ１００５に処理を移行する。
【００８７】
Ｓ１００５において、ネットワークカメラ制御端末５のカメラ制御部７０１は、操作者６の割り当て操作により、ネットワークカメラ制御端末５のＧＵＩ部７０４の映像表示形式８０における大画面領域８１、小画面領域８２〜８４のいずれかに対応する映像データを配信するネットワークカメラ３のカメラ制御部４０１に対し、該映像データを表示するために割り当てられた画面領域と操作者６の設定に対応した解像度やフレームレート等の設定を行い、該ネットワークカメラ３の映像配信部４０２に映像データの配信要求を実行する。また、ネットワークカメラ制御端末５のレコーダ制御部７０２は、操作者６の割り当て操作により、ネットワークカメラ制御端末５のGUI部７０４の映像表示形式８０における大画面領域８１、小画面領域８２〜８４のいずれかに、映像記録配信システム１内のＮＡＳ装置４に記録された映像データを含む場合は、読み出し用に該ＮＡＳ装置４に対応付けられ接続しているネットワークカメラ３のレコーダ制御部４０３に対し、該映像データを表示するために割り当てられた画面領域と操作者６の設定に対応した解像度やフレームレート等の設定を行い、該ネットワークカメラ３の映像配信部４０４に映像データの配信要求を実行し、Ｓ１００２に処理を移行し、以降の処理を繰り返し実行する。
【００８８】
これにより、ネットワークカメラ制御端末５のＧＵＩ部７０４の映像表示形式８０における大画面領域８１と小画面領域８２〜８４それぞれに、操作者６が所望した対応する映像データが写しだされる。
【００８９】
以上により、ネットワークカメラ制御端末５におけるネットワークカメラ制御端末処理１０００の流れを示した。
＝＝＝ネットワークカメラ・ＮＡＳ装置接続＝＝＝
図１１と図１２は、映像記録配信システム1に接続するネットワークカメラ３の設定状況を参照しながら、映像記録配信システム１における各機器の接続構成を動的に変更することによって、ＮＡＳ装置４を用いて、映像記録配信システムが提供する記録・配信の機能を実現するまでの一連の処理の流れを説明する図である。
【００９０】
ネットワークカメラ３a〜３dは、ネットワークカメラ処理９００とネットワークカメラ処理９１０を、ネットワークカメラ制御端末５は、ネットワークカメラ制御端末処理１０００を実行している。
【００９１】
本実施形態において、ネットワークカメラ３は、大画面領域８１に表示するために好適な設定で映像データを配信する場合には、同時に、該ネットワークカメラ３に対応付けられた書き出し用ＮＡＳ装置４への記録ができ、また、小画面領域８２〜８４のいずれかに表示するために好適な設定で映像データを配信する場合には、同時に、該ネットワークカメラ３に対応付けられた書き出し用のＮＡＳ装置４への記録と、該ネットワークカメラ３に対応付けられた読み出し用のＮＡＳ装置４に記録された映像データを小画面領域８２〜８４のいずれかに表示するために好適な設定で映像データを配信できる同時配信性能、同時処理能力を有するものとする。また、本実施形態におけるＮＡＳ装置４は、読み出し用、書き込み用、いずれの接続でも、複数のネットワークカメラから同時に読み出し、または、書き出しのための処理があっても対応できる性能を備えているものとする。
【００９２】
なお、ネットワークカメラ３の同時配信性能や同時処理能力などの仕様は様々であり、映像表示形式８０も領域数や画面領域の大きさなど、様々な形式がありえる。また、映像記録配信システム１に接続するネットワークカメラ３や、ＮＡＳ装置４、ネットワークカメラ制御端末５の台数などは様々な組み合わせがあり、以下に示す本実施の形態のみに限定するものではない。
【００９３】
本実施形態において、操作者６が、ネットワークカメラ制御端末５を利用して、映像記録配信システム１におけるネットワークカメラ３のレコーダとしての機能の設定を行うことから開始するものとする。
【００９４】
Ｓ１１００１において、ネットワークカメラ制御端末５は、操作者６の設定・操作等により、該ネットワークカメラ制御端末５のレコーダ制御部７０１において、Ｓ１００１の処理を行う。
【００９５】
Ｓ１１００２〜Ｓ１１００５において、ネットワークカメラ３a〜３dは、該ネットワークカメラ３a〜３dのレコーダ制御部４０３において、Ｓ９０１の処理により、Ｓ１１００１の要求を受け、該ネットワークカメラ３a〜３dにおいて、Ｓ９０２のレコーダ関連機能の初期設定・制御を行う。また、該ネットワークカメラ３aのＮＡＳ接続部４０９において、該ネットワークカメラ３aのレンズ部２０３が現在映し出しているライブ映像データを書き出すためのＮＡＳ装置４aの接続を行い、また、該ネットワークカメラ３bのＮＡＳ接続部４０９において、該ネットワークカメラ３bのレンズ部２０３が現在映し出しているライブ映像データを書き出すためのＮＡＳ装置４aの指定を行い、また、該ネットワークカメラ３cのＮＡＳ接続部４０９において、該ネットワークカメラ３cのレンズ部２０３が現在映し出しているライブ映像データを書き出すためのＮＡＳ装置４bの接続を行い、また、該ネットワークカメラ３dのＮＡＳ接続部４０９において、該ネットワークカメラ３dのレンズ部２０３が現在映し出しているライブ映像データを書き出すためのＮＡＳ装置４bの接続を行う。
【００９６】
Ｓ１１００６において、ＮＡＳ装置４aは、Ｓ１１００２〜Ｓ１１００３の処理によって、ネットワークカメラ３a・３bのＮＡＳ接続部４０９からの接続を受付け、該ネットワークカメラ３a・３bの映像記録・読み出し部４０８からの書き出しを可能な状態とする。
【００９７】
Ｓ１１００７において、ＮＡＳ装置４bは、Ｓ１１００４〜Ｓ１１００５の処理によって、ネットワークカメラ３c・３dのＮＡＳ接続部４０９からの接続を受付け、該ネットワークカメラ３c・３dの映像記録・読み出し部４０８からの書き出しを可能な状態とする。
【００９８】
Ｓ１１００８において、操作者６は、ネットワーク制御端末５のGUI部７０４における映像表示形式８０における映像データの表示割り当ての指定操作を行い、該ネットワークカメラ制御端末５は、Ｓ１００２の処理を行う。本実施形態では、操作者６は、大画面領域８１に、ネットワークカメラ３aがＮＡＳ装置４aに記録した過去の映像データを、小画面領域８２〜８４には、それぞれ、ネットワークカメラ３a〜３cのレンズ部２０３が現在映し出し、映像配信部４０２が配信可能なライブ映像データを表示するよう操作を行ったとする。
【００９９】
Ｓ１１００９において、ネットワークカメラ制御端末５は、該ネットワークカメラ制御端末５のカメラ・ＮＡＳ対応算出部７０８が、Ｓ１００３の処理によって、ＮＡＳ装置４a・４bに記録されている映像データを読み出すために、該ＮＡＳ装置４に接続するネットワークカメラ３の組み合わせを算出する。Ｓ１００３の処理によって、ネットワークカメラ３aの映像記録・読み出し部４０８において、コンテンツデータ５０２として記録されている映像データを読み出すために、ＮＡＳ装置４bのＩＰアドレスと、ネットワークカメラ３dの映像記録・読み出し部４０８が記録したコンテンツデータ５０２に対応するリストであるコンテンツリスト５０１を参照できる該ＮＡＳ装置４bのディレクトリを示すマウントポイントの指定を行い、また、ネットワークカメラ３bの映像記録・読み出し部４０８において、コンテンツデータ５０２として記録されている映像データを読み出すために、ＮＡＳ装置４aのＩＰアドレスと、ネットワークカメラ３bの映像記録・読み出し部４０８が記録したコンテンツデータ５０２に対応するリストであるコンテンツリスト５０１を参照できる該ＮＡＳ装置４aのディレクトリを示すマウントポイントの指定を行い、また、ネットワークカメラ３cの映像記録・読み出し部４０８において、コンテンツデータ５０２として記録されている映像データを読み出すために、ＮＡＳ装置４bのＩＰアドレスと、ネットワークカメラ３cの映像記録・読み出し部４０８が記録したコンテンツデータ５０２に対応するリストであるコンテンツリスト５０１を参照できる該ＮＡＳ装置４bのディレクトリを示すマウントポイントの指定を行い、また、ネットワークカメラ３dの映像記録・読み出し部４０８において、コンテンツデータ５０２として記録されている映像データを読み出すために、ＮＡＳ装置４aのＩＰアドレスと、ネットワークカメラ３aの映像記録・読み出し部４０８が記録したコンテンツデータ５０２に対応するリストであるコンテンツリスト５０１を参照できる該ＮＡＳ装置４aのディレクトリを示すマウントポイントの指定を行う。Ｓ１１００９の操作によって、最も同時配信性能、同時処理能力に余力が出ることが想定されるネットワークカメラ３dは、映像データの読み出しが行われるＮＡＳ装置４aに対応づけられ、ネットワークカメラ３d以外のネットワークカメラは、ランダム、かつ、適切なばらつきとなるようにＮＡＳ装置４がそれぞれのネットワークカメラ3に対応付けられる。
【０１００】
Ｓ１１０１０において、ネットワークカメラ制御端末５は、Ｓ１１００９の処理によって算出されたネットワークカメラ３とＮＡＳ装置４の対応関係に従い、該ネットワークカメラ制御端末５のＮＡＳ接続管理部７０７が、Ｓ１００４の処理によって、ネットワークカメラ３a〜３dのＮＡＳ接続管理部４１０に対し、該ネットワークカメラ３a〜３dが接続するＮＡＳ装置4のＩＰアドレスと、各ネットワークカメラ３の映像記録・読み出し部４０８が記録したコンテンツデータ５０２に対応するリストであるコンテンツリスト５０１を参照できる該ＮＡＳ装置４のディレクトリを示すマウントポイントの指定を行う。なお、ＮＡＳ装置４に記録されている映像データを、実際に配信しないネットワークカメラ３に対しては、Ｓ１１０１０におけるＳ１００４の処理を行わなくても、操作者６の映像表示形式８０における映像データの参照に対する問題は生じないが、本実施の形態では、全てのネットワークカメラ３に対して、Ｓ１１０１０における、ネットワークカメラ制御端末５のＳ１００４の処理を行うこととする。
【０１０１】
Ｓ１１０１１、Ｓ１１０１３において、ネットワークカメラ３a・３cは、Ｓ１１０１０の処理によって、該ネットワークカメラ３a・３cのＮＡＳ接続管理部４１０が、Ｓ９０５において、接続するＮＡＳ装置４bのＩＰアドレスと、ネットワークカメラ３d・３cの映像記録・読み出し部４０８が記録したコンテンツデータ５０２に対応するリストであるコンテンツリスト５０１を参照できる該ＮＡＳ装置４bのディレクトリを示すマウントポイントを指定され、該ネットワークカメラ３a・３cのＮＡＳ接続部４０９が、Ｓ９０６において、指定されたＮＡＳ装置４bに接続する。なお、ＮＡＳ装置４bに記録されている映像データを、映像配信部４０４により、実際には配信しないネットワークカメラ３a・３cは、Ｓ１１０１１、Ｓ１１０１３の処理を行わなくてもよいが、該ネットワークカメラ３a・３cの次回のＮＡＳ装置４bに対する再接続を避けられる場合があるため、本実施の形態では、Ｓ１１０１１、Ｓ１１０１３の処理を行うこととする。
【０１０２】
Ｓ１１０１２、Ｓ１１０１４において、ネットワークカメラ３b・３dは、Ｓ１１０１０の処理によって、該ネットワークカメラ３b・３dのＮＡＳ接続管理部４１０が、Ｓ９０５において、接続するＮＡＳ装置４aのＩＰアドレスと、ネットワークカメラ３b・３aの映像記録・読み出し部４０８が記録したコンテンツデータ５０２に対応するリストであるコンテンツリスト５０１を参照できる該ＮＡＳ装置４aのディレクトリを示すマウントポイントを指定され、該ネットワークカメラ３b・３dのＮＡＳ接続部４０９が、Ｓ９０６において、指定されたＮＡＳ装置４aに接続する。なお、ＮＡＳ装置４aに記録されている映像データを、映像配信部４０４により、実際には配信しないネットワークカメラ３bは、Ｓ１１０１２の処理を行わなくてもよいが、該ネットワークカメラ３bの次回のＮＡＳ接続４aに対する再接続を避けられる場合があるため、本実施の形態では、Ｓ１１０１２の処理を行うこととする。
【０１０３】
Ｓ１１０１５において、ＮＡＳ装置４aは、Ｓ１１０１２、Ｓ１１０１４によるネットワークカメラ３b、ネットワークカメラ３dのＮＡＳ接続部４０９の、該ＮＡＳ装置４aに対する読み出しを可能とする接続を受け付ける。
【０１０４】
Ｓ１１０１６において、ＮＡＳ装置４bは、Ｓ１１０１１、Ｓ１１０１３によるネットワークカメラ３a、ネットワークカメラ３cのＮＡＳ接続部４０９の、該ＮＡＳ装置４bに対する読み出しを可能とする接続を受け付ける。
【０１０５】
Ｓ１１０１７において、ネットワークカメラ制御端末５は、該ネットワークカメラ制御端末５のカメラ制御部７０１、レコーダ制御部７０２、映像受信部７０３によるＳ１００５の処理により、ネットワークカメラ３a〜３dのカメラ制御部４０１、レコーダ制御部４０３に対する設定・制御と、映像配信部４０２、映像配信部４０４に対する所望の映像データ配信要求を行う。
【０１０６】
Ｓ１１０１８〜Ｓ１１０２１において、ネットワークカメラ３a〜３dは、該ネットワークカメラ３a〜３dのカメラ制御部４０１、レコーダ制御部４０３、映像配信部４０２、映像配信部４０４によるＳ９０１〜Ｓ９０４、Ｓ９１１〜Ｓ９１４の処理により、該ネットワークカメラ３a〜３ｄの各種設定・制御と、ネットワーク制御端末５の映像受信部７０３に対して、Ｓ１１０１７において要求された映像データ配信を行う。
【０１０７】
Ｓ１１０２２において、ＮＡＳ装置４aは、Ｓ１１０２１におけるネットワークカメラ３dの映像記録・読み出し部４０８のＳ９１４の処理により、該ネットワークカメラ３dによって指定された映像データに対応するコンテンツデータ５０２の読み出しに対応する。  Ｓ１１０２３において、ネットワークカメラ制御端末５は、Ｓ１１０１８〜Ｓ１１０２０において配信されたネットワークカメラ３a〜３cの映像配信部４０２からのライブ映像データと、Ｓ１１０２１において配信されたネットワークカメラ３dの映像配信部４０４からのネットワークカメラ３aの録画済み映像データを、該ネットワークカメラ制御端末５のＧＵＩ部704における映像表示形式８０の対応する画面領域８１〜８４にそれぞれ表示する。
【０１０８】
以上により、映像表示形式８０として、ネットワークカメラ３aの映像配信部４０２が配信する映像データが小画面領域８２に、ネットワークカメラ３bの映像配信部４０２が配信する映像データが小画面領域８３に、ネットワークカメラ３cの映像配信部４０２が配信する映像データが小画面領域８４に、ネットワークカメラ３dの映像配信部４０４が配信するＮＡＳ装置４aから読み出されたネットワークカメラ３aの録画済み映像データが大画面領域８５に映し出され、ネットワークカメラ端末５のモニタ３６を介して、操作者６が所望したとおり、映像を参照することができる。
＝＝＝＝映像表示形式画面割り当て変更１＝＝＝＝
続いて、操作者６によって、映像表示形式８０における、大画面領域８１や小画面領域８２〜８４において参照する映像データを変更する場合の一連の処理の流れを説明する。  Ｓ１１０２４において、Ｓ１１００８と同様に、操作者６は、ネットワーク制御端末５のＧＵＩ部７０４における映像表示形式８０における映像データの表示割り当ての指定操作を行い、該ネットワークカメラ制御端末５は、Ｓ１００２の処理を行う。本実施形態では、操作者６は、大画面領域８１に、ネットワークカメラ３aのレンズ部２０３が現在映し出し、映像配信部４０２が配信可能なライブ映像データを、小画面領域８２・８３には、ネットワークカメラ３b・３cのレンズ部２０３が現在映し出し、映像配信部４０２が配信可能なライブ映像データを、小画面領域８４には、ネットワークカメラ３aがＮＡＳ装置４aに記録した過去の映像データを表示するよう操作を行ったとする。
【０１０９】
Ｓ１１０２５において、ネットワークカメラ制御端末５は、該ネットワークカメラ制御端末５のカメラ・ＮＡＳ対応算出部７０８が、Ｓ１００３の処理によって、ＮＡＳ装置４a・４bに記録されている映像データを読み出すために、該ＮＡＳ装置４に接続するネットワークカメラ３の組み合わせを算出する。Ｓ１００３の処理によって、ネットワークカメラ３aは、大画面領域８１に映像データを配信するため、Ｓ１１０１０の処理によって接続していたＮＡＳ装置４bとの対応を解消し、ネットワークカメラ３bに対して引き続きＮＡＳ装置４aのＩＰアドレスと、ネットワークカメラ３bの映像記録・読み出し部４０８が記録したコンテンツデータ５０２に対応するリストであるコンテンツリスト５０１を参照できる該ＮＡＳ装置４aのディレクトリを示すマウントポイントの指定を行い、また、ネットワークカメラ３cに対して引き続きＮＡＳ装置４bのＩＰアドレスと、ネットワークカメラ３cの映像記録・読み出し部４０８が記録したコンテンツデータ５０２に対応するリストであるコンテンツリスト５０１を参照できる該ＮＡＳ装置４bのディレクトリを示すマウントポイントの指定を行い、また、ネットワークカメラ３dに対して引き続きＮＡＳ装置４aのＩＰアドレスと、ネットワークカメラ３aの映像記録・読み出し部４０８が記録したコンテンツデータ５０２に対応するリストであるコンテンツリスト５０１を参照できる該ＮＡＳ装置４aのディレクトリを示すマウントポイントの指定を行い、さらに、同時配信性能、同時処理能力に余力があることが想定されるため、ＮＡＳ装置４bのＩＰアドレスと、ネットワークカメラ３dの映像記録・読み出し部４０８が記録したコンテンツデータ５０２に対応するリストであるコンテンツリスト５０１を参照できる該ＮＡＳ装置４bのディレクトリを示すマウントポイントの指定を行う。ネットワークカメラ３b・３cは、接続のやり直しのコストをさけるため、Ｓ１１００８の対応付けを維持する。
【０１１０】
Ｓ１１０２６において、ネットワークカメラ制御端末５は、Ｓ１１０２５の処理によって算出されたネットワークカメラ３とＮＡＳ装置４の対応関係に従い、該ネットワークカメラ制御端末５のＮＡＳ接続管理部７０７が、Ｓ１００４の処理によって、ネットワークカメラ３a・３dのＮＡＳ接続管理部４１０に対し、該ネットワークカメラ３aが切断するＮＡＳ装置４bと、該ネットワークカメラ３dが新たに接続するＮＡＳ装置４dのＩＰアドレスと、各ネットワークカメラ３の映像記録・読み出し部４０８が記録したコンテンツデータ５０２に対応するリストであるコンテンツリスト５０１を参照できる該ＮＡＳ装置４のディレクトリを示すマウントポイントの指定を行う。なお、Ｓ１１０２５の処理によって、ネットワークカメラ３b・３cのＮＡＳ接続部４０９は、ＮＡＳ装置４a・４bとの対応に変化が無いため、Ｓ１１０２６においては、本実施形態では何も行わない。
【０１１１】
Ｓ１１０２７において、ネットワークカメラ３aは、Ｓ１１０２６の処理によって、該ネットワークカメラ３aのＮＡＳ接続管理部４１０が、Ｓ９０５において、接続しているＮＡＳ装置４bのＩＰアドレスを指定され、該ネットワークカメラ３aのＮＡＳ接続部４０９が、Ｓ９０６において、指定されたＮＡＳ装置４bを切断する。
【０１１２】
Ｓ１１０２８において、ネットワークカメラ３dは、Ｓ１１０２６の処理によって、該ネットワークカメラ３dのＮＡＳ接続管理部４１０が、Ｓ９０５において、接続するＮＡＳ装置４bのＩＰアドレスを指定され、該ネットワークカメラ３dのＮＡＳ接続部４０９が、Ｓ９０６において、指定されたＮＡＳ装置４bに接続する。
【０１１３】
Ｓ１１０２９において、ＮＡＳ装置４bは、Ｓ１１０２７によるネットワークカメラ３aのＮＡＳ接続部４０９の、該ＮＡＳ装置４bに対する切断を行い、Ｓ１１０２８によるネットワークカメラ３dのＮＡＳ接続部４０９の、該ＮＡＳ装置４bに対する接続を行う。
【０１１４】
Ｓ１１０３０〜Ｓ１１０３６の処理の流れは、Ｓ１１０１７〜Ｓ１１０２３と同様である。
＝＝＝＝映像表示形式画面割り当て変更２＝＝＝＝
続いて、操作者６によって、映像表示形式８０における、大画面領域８１や小画面領域８２〜８４において参照する映像データを変更する場合の一連の処理の流れを説明する。  Ｓ１１０３７において、Ｓ１１００８、Ｓ１１０２４と同様に、操作者６は、ネットワーク制御端末５のＧＵＩ部７０４における映像表示形式８０における映像データの表示割り当ての指定操作を行い、該ネットワークカメラ制御端末５は、Ｓ１００２の処理を行う。本実施形態では、操作者６は、大画面領域８１に、ネットワークカメラ３dのレンズ部２０３が現在映し出し、映像配信部４０２が配信可能なライブ映像データを、小画面領域８２・８３には、ネットワークカメラ３a・３bのレンズ部２０３が現在映し出し、映像配信部４０２が配信可能なライブ映像データを、小画面領域８４には、引き続き、ネットワークカメラ３aがＮＡＳ装置４aに記録した過去の映像データを表示するよう操作を行ったとする。
【０１１５】
Ｓ１１０３８において、ネットワークカメラ制御端末５は、該ネットワークカメラ制御端末５のカメラ・ＮＡＳ対応算出部７０８が、Ｓ１００３の処理によって、ＮＡＳ装置４a・４bに記録されている映像データを読み出すために、該ＮＡＳ装置４に接続するネットワークカメラ３の組み合わせを算出する。Ｓ１００３の処理によって、ネットワークカメラ３aの映像記録・読み出し部４０８において、コンテンツデータ５０２として記録されている映像データを読み出すために、ＮＡＳ装置４aのＩＰアドレスと、ネットワークカメラ３aの映像記録・読み出し部４０８が記録したコンテンツデータ５０２に対応するリストであるコンテンツリスト５０１を参照できる該ＮＡＳ装置４aのディレクトリを示すマウントポイントの指定を行い、また、ネットワークカメラ３bに対して引き続きＮＡＳ装置４aのＩＰアドレスと、ネットワークカメラ３bの映像記録・読み出し部４０８が記録したコンテンツデータ５０２に対応するリストであるコンテンツリスト５０１を参照できる該ＮＡＳ装置４aのディレクトリを示すマウントポイントの指定を行い、また、ネットワークカメラ３cに対して引き続きＮＡＳ装置４bのＩＰアドレスと、ネットワークカメラ３cの映像記録・読み出し部４０８が記録したコンテンツデータ５０２に対応するリストであるコンテンツリスト５０１を参照できる該ＮＡＳ装置４bのディレクトリを示すマウントポイントの指定を行い、さらに、同時配信性能、同時処理能力に余力があることが想定されるため、ＮＡＳ装置４bのＩＰアドレスと、ネットワークカメラ３dの映像記録・読み出し部４０８が記録したコンテンツデータ５０２に対応するリストであるコンテンツリスト５０１を参照できる該ＮＡＳ装置４bのディレクトリを示すマウントポイントの指定を行い、また、ネットワークカメラ３dは、大画面領域８１に映像データを配信するため、Ｓ１１０２６の処理によって接続していたＮＡＳ装置４a・４bとの対応を解消する。
【０１１６】
Ｓ１１０３９において、ネットワークカメラ制御端末５は、Ｓ１１０３８の処理によって算出されたネットワークカメラ３とＮＡＳ装置４の対応関係に従い、該ネットワークカメラ制御端末５のＮＡＳ接続管理部７０７が、Ｓ１００４の処理によって、ネットワークカメラ３a・３cのＮＡＳ接続管理部４１０に対し、該ネットワークカメラ３a・３cが接続するＮＡＳ装置４aとＮＡＳ装置４bのＩＰアドレスと、各ネットワークカメラ３の映像記録・読み出し部４０８が記録したコンテンツデータ５０２に対応するリストであるコンテンツリスト５０１を参照できる該ＮＡＳ装置４のディレクトリを示すマウントポイントの指定を行う。なお、Ｓ１１０３９の処理によって、ネットワークカメラ３bのＮＡＳ接続部４０９は、ＮＡＳ装置４aとの対応に変化が無いため、Ｓ１１０３９においては、本実施形態では何も行わない。
【０１１７】
Ｓ１１０４０において、ネットワークカメラ３aは、Ｓ１１０３９の処理によって、該ネットワークカメラ３aのＮＡＳ接続管理部４１０が、Ｓ９０５において、接続するＮＡＳ装置４aのＩＰアドレスを指定され、該ネットワークカメラ４aのＮＡＳ接続部４０９が、Ｓ９０６において、指定されたＮＡＳ装置４aに接続する。
【０１１８】
Ｓ１１０４１において、ネットワークカメラ３cは、Ｓ１１０３９の処理によって、該ネットワークカメラ３cのＮＡＳ接続管理部４１０が、Ｓ９０５において、Ｓ１１０１３で既に接続しているＮＡＳ装置４bのネットワークカメラ３dの映像記録・読み出し部４０８が記録したコンテンツデータ５０２に対応するリストであるコンテンツリスト５０１を参照できる該ＮＡＳ装置４bのディレクトリを示すマウントポイントに新たに接続し、該ネットワークカメラ３cの映像管理部４０５が、ＮＡＳ装置４ｂに記録されている、ネットワークカメラ３dが記録している映像データを参照可能にする。
【０１１９】
Ｓ１１０４２において、ネットワークカメラ３dは、Ｓ１１０３９の処理によって、該ネットワークカメラ３dのＮＡＳ接続管理部４１０が、Ｓ９０５において、接続しているＮＡＳ装置４a・４bのアドレスを指定され、該ネットワークカメラ３dのＮＡＳ接続部４０９が、Ｓ９０６において、指定されたＮＡＳ装置４a・４bを切断する。
【０１２０】
Ｓ１１０４３において、ＮＡＳ装置４aは、Ｓ１１０４０によるネットワークカメラ３aのＮＡＳ接続部４０９の、該ＮＡＳ装置４aに対する読み出しを可能とする接続を受付け、Ｓ１１０４２によるネットワークカメラ３dのＮＡＳ接続部４０９の、該ＮＡＳ装置４aに対する切断を行う。
【０１２１】
Ｓ１１０４４において、ＮＡＳ装置４bは、Ｓ１１０４１によるネットワークカメラ３cのＮＡＳ接続管理部４１０の、該ＮＡＳ装置４bのコンテンツリスト参照と、コンテンツデータ読み出しを可能とする接続を受付け、Ｓ１１０４２によるネットワークカメラ３dのＮＡＳ接続部４０９の、該ＮＡＳ装置４bに対する切断を行う。
【０１２２】
Ｓ１１０４５〜Ｓ１１０５１の処理の流れは、Ｓ１１０１７〜Ｓ１１０２３、Ｓ１１０３０〜Ｓ１１０３６と同様である。
【０１２３】
以上のように、操作者６によって、映像表示形式８０における画面領域８１〜８４において参照する映像データを変更する場合、操作者６が意識することなく、映像記録配信システム１におけるネットワークカメラ３と、ＮＡＳ装置４の接続構成が動的に変更され、所望の映像データを参照することができる。
【０１２４】
以上により、映像記録配信システム1に接続するネットワークカメラ３の各時点の設定状況と該ネットワークカメラ３の仕様を比較することによって、映像記録配信システム１における各機器の接続構成を動的に変更することにより、ＮＡＳ装置４を用いて、映像記録配信システムが提供する記録・配信の機能を実現する処理の流れを示した。これにより、映像記録配信システム１を構成する機器の一部を、一般的なＩＴ機器に置き換えても、操作者６による複数の映像データ参照に支障無く、映像記録配信システム１としての機能・性能を実現できる。
【０１２５】
この結果、映像記録配信システムを構成する全ての機器において、映像記録配信システムに特化した専用のプロトコルを備える必要がなくなり、これに伴い、映像記録配信システムを構成する機器の一部を、ＮＡＳ装置といった汎用的なIT機器に置き換えることによって、映像記録配信システムに特化した専用のプロトコルを備えるレコーダ装置等を開発する必要がなくなり、映像記録配信システムの開発に関するコストを低下させ、映像記録配信システムを、従来より安価に提供することができる。
（変形例）
なお、本実施形態のネットワークカメラ制御端末５のカメラ諸元リスト部７０６は、ネットワークカメラ３の仕様上の性能・能力を、静的に把握することとしたが、ネットワークカメラの各時点での性能・能力の余力を、動的に把握してもよい。この場合、ネットワークカメラ制御端末５のカメラ諸元リスト部７０６は、該ネットワークカメラ制御端末５のカメラ制御部７０１やレコーダ制御部７０２において、映像記録配信システム１に接続している各ネットワークカメラ３の性能・能力の余力を、該ネットワークカメラ３のカメラ制御部４０１や、レコーダ制御部４０３に問い合わせることによって取得する構成にしても良い。この処理を、本実施形態のネットワークカメラ制御端末処理１０００におけるＳ１００３に置き換えて実行することにより、同様の機能を実現できる。
【０１２６】
また、本実施形態のコンテンツリスト５０１は、各ＮＡＳ装置４に分散して記録されているが、各ＮＡＳ装置４に分散して記録されているコンテンツリスト５０１を、映像記録配信システム１に接続される図示しないサーバ装置、あるいは、ネットワークカメラ制御端末５に、各ＮＡＳ装置４のコンテンツリスト５０１毎に集約し、ネットワークカメラ制御端末５が、所望のコンテンツの配信を行う場合は、該コンテンツリスト５０１を参照することによって、該コンテンツを保存しているＮＡＳ装置4に対応付けられたネットワークカメラ３を、ネットワークカメラ制御端末５のＮＡＳ接続管理部７０７に問い合わせて把握し、該ネットワークカメラ３の映像配信部４０４に該コンテンツの配信を要求する構成にしてもよい。この場合、該コンテンツリスト５０１が、どのＮＡＳ装置4のコンテンツリスト５０１かをそれぞれ管理する。なお、本構成の場合、ネットワークカメラ３の映像管理部４０５は不要となる。
【０１２７】
本実施形態のネットワークカメラ３は、全てのネットワークカメラ３が、カメラプロトコル部４０とレコーダプロトコル部４１とＮＡＳ連携部４２を備える構成としたが、映像記録配信システム１に接続している複数台のネットワークカメラ３の中の一部のネットワークカメラ３は、カメラプロトコル部４０とレコーダプロトコル部４１とＮＡＳ連携部４２のいずれかのみを備える構成でもよく、映像記録配信システム１として同様の機能を実現できる。
【０１２８】
また、本実施形態のネットワークカメラ３が備えるカメラプロトコル部４０とレコーダプロトコル部４１とＮＡＳ連携部４２は、いずれかが、映像記録配信システム１に接続しているＮＡＳ装置４やネットワークカメラ制御端末５が備える構成でもよく、映像記録配信システム１として同様の機能を実現できる。
【０１２９】
また、映像記録配信システム１において、複数のネットワークカメラ制御端末５が接続される場合は、該ネットワークカメラ制御端末５のカメラ・ＮＡＳ対応算出部７０８を共有するか、映像記録配信システム１に接続される図示しないサーバ装置として独立させる構成としてもよく、映像記録配信システム１として同様の機能を実現できる。
【符号の説明】
【０１３０】
１・・・映像記録配信システム、２・・・データ通信網、３ａ、３ｂ、３ｃ、３ｄ・・・ネットワークカメラ、４a、４ｂ・・・ＮＡＳ装置、５・・・ネットワークカメラ制御端末、６・・・操作者、２００、３０・・・ＣＰＵ、２０１、３２・・・ＲＯＭ、３１、２０２・・・ＲＡＭ、２０３・・・レンズ部、２０４・・・イメージセンサ部、２０５・・・映像処理部、２０６、３３・・・ネットワークインターフェース、２０７、３５・・・二次記憶部、２０８・・・映像インターフェース、３４・・・グラフィック制御部、３６・・・モニタ。
【図１】
2014207882.tif 000003
【図２】
2014207882.tif 000004
【図３】
2014207882.tif 000005
【図４】
2014207882.tif 000006
【図５】
2014207882.tif 000007
【図６】
2014207882.tif 000008
【図７】
2014207882.tif 000009
【図８】
2014207882.tif 000010
【図９】
2014207882.tif 000011
【図１０】
2014207882.tif 000012
【図１１】
2014207882.tif 000013
【図１２】
2014207882.tif 000014
【手続補正書】
【提出日】平成28年10月12日(2016.10.12)
【手続補正１】
【補正対象書類名】特許請求の範囲
【補正対象項目名】全文
【補正方法】変更
【補正の内容】
【特許請求の範囲】
【請求項１】
データ記録装置およびネットワークカメラ制御端末とネットワークを介して接続されたネットワークカメラであって、
記憶部と演算処理部を具備し、
前記演算処理部は、
前記ネットワークカメラ制御端末から第１のプロトコルを用いて送信された映像データの配信要求を、前記ネットワークを介して、前記第１のプロトコルを用いて受信し、
前記映像データの配信要求がカメラに対する要求であるかを判定し、そうであると判定すると、現在映し出し前記記憶部に一時記録したライブ映像データを、前記ネットワークを介して、前記第１のプロトコルを用いて前記ネットワークカメラ制御端末に配信し、
前記映像データの配信要求が前記データ記録装置に関する要求であるかを判定し、そうであると判定すると、第２のプロトコルを用いて前記データ記録装置から取得し前記記憶部に一時記録した映像データを、前記ネットワークを介して、前記第１のプロトコルを用いて前記ネットワークカメラ制御端末に配信する、
ことを特徴とするネットワークカメラ。
【請求項２】
前記第２のプロトコルは、汎用プロトコルであり、前記データ記録装置は、ストレージ装置である、
ことを特徴とする請求項１に記載のネットワークカメラ。
【請求項３】
ネットワークに接続された、複数のネットワークカメラと、データ記録装置と、ネットワークカメラ制御端末と、から構成される映像記録配信システムであって、
前記各ネットワークカメラは、
前記ネットワークカメラ制御端末から第１のプロトコルを用いて送信された映像データの配信要求を、前記ネットワークを介して、前記第１のプロトコルを用いて受信し、
前記映像データの配信要求がカメラに対する要求であるかを判定し、そうであると判定すると、現在映し出し記憶部に一時記録したライブ映像データを、前記ネットワークを介して、前記第１のプロトコルを用いて前記ネットワークカメラ制御端末に配信し、
前記映像データの配信要求が前記データ記録装置に関する要求であるかを判定し、そうであると判定すると、第２のプロトコルを用いて前記データ記録装置から取得し前記記憶部に一時記録した映像データを、前記ネットワークを介して、前記第１のプロトコルを用いて前記ネットワークカメラ制御端末に配信し、
前記ネットワークカメラ制御端末は、
前記第１のプロトコルを用いて前記映像データの配信要求を、前記ネットワークを介して、前記各ネットワークカメラに送信し、
前記各ネットワークカメラから前記第１のプロトコルを用いて前記配信要求を行った映像データを、前記ネットワークを介して、前記第１のプロトコルを用いて受信し、表示部に表示する、
ことを特徴とする映像記録配信システム。
【請求項４】
前記第２のプロトコルは、汎用プロトコルであり、前記データ記録装置は、ストレージ装置である、
ことを特徴とする請求項３に記載の映像記録配信システム。
【請求項５】
前記ネットワークカメラ制御端末は、
入力部を介して受け付けた操作情報に基づき、前記表示部の複数の画面領域のそれぞれに表示させる映像データの割り当てを行い、
あらかじめ決められた前記各ネットワークカメラの仕様情報と、前記各ネットワークカメラの設定状況に基づいて、割り当てた前記映像データごとに、該映像データを当該ネットワークカメラ制御端末に配信するネットワークカメラを決定し、
決定した前記各ネットワークカメラに、前記ネットワークを介して、前記第１のプロトコルを用いて前記映像データの配信要求を送信し、
決定した前記各ネットワークカメラから、前記ネットワークを介して、前記配信要求を行った映像データを前記第１のプロトコルを用いて受信し、該当画面領域に表示する、
ことを特徴とする請求項４に記載の映像記録配信システム。
【請求項６】
前記画面領域は、高解像度、高フレームレートで配信される映像データを表示する大画面領域と、低解像度、低フレームレートで配信される映像データを表示する小画面領域とから構成される、
ことを特徴とする請求項５に記載の映像記録配信システム。
【国際調査報告】
2014207882.tif 000015
2014207882.tif 000016
2014207882.tif 000017
2014207882.tif 000018
2014207882.tif 000019
2014207882.tif 000020